(57)【要約】【課題】バリキャップ対を１つにするとともに、対応するＩＣ端子を減らし、チップ面積の削減および使用パッケージの小端子化を達成する。【解決手段】被変調信号をＬＰＦ６に入力させることにより、端子８からバリキャップ対Ｄ１，Ｄ２の入力電圧を中心周波数ｆｏになる電圧近辺が変化するように、端子１０からＦＭ変調波を生成させることができる。【選択図】図１
2005117403.tif 000002
【特許請求の範囲】
【請求項１】
バリキャップ対とインダクタを備えた電圧制御発振器の出力を入力とする第１のカウンタと、基準周波数を入力とする第２のカウンタを備え、前記第１のカウンタと前記第２のカウンタの出力位相を比較する位相比較器出力をローパスフィルタで平滑化し、前記ローパスフィルタの出力を前記バリキャップ対に入力して、安定した周波数を出力させるＦＭ変調回路であって、前記ローパスフィルタに被変調信号を入力させて出力に変調を施すことを特徴とするＦＭ変調回路。
【発明の詳細な説明】
【技術分野】
【０００１】
本発明は、半導体集積回路において利用されるＦＭ変調回路に関するものである。
【背景技術】
【０００２】
従来のＦＭ変調回路として特許文献１に記載された構成のものを例示することができる。
【０００３】
図３は従来のＦＭ変調回路の概略構成を示すブロック図である。
【０００４】
図３において、Ｄ１とＤ２，Ｄ３とＤ４は、それぞれ入力電圧によって容量値が変化するバリキャップ対、１はインダクタ、２は能動素子を用いたＶＣＯ（電圧制御発振器）回路、３，４はそれぞれ入力周波数を１／Ｍ，１／Ｎ（Ｍ，Ｎは任意の値）にするカウンタ回路、５はカウンタ３，４の出力周波数の位相を比較する位相比較器、６は位相比較器の出力電圧を平滑化するためのＬＰＦ（ローパスフィルタ）、７はＩＣ（半導体集積回路）、８〜１１はＩＣ７の端子である。
【０００５】
図４は前記ＶＣＯ２と前記ＬＰＦ６の具体的な回路構成を示す回路図であり、Ｑ１，Ｑ２，Ｑ３はＮＰＮトランジスタ、Ｉ１，Ｉ２，Ｉ３は定電流原、Ｒ１，Ｒ２は抵抗、Ｃ１，Ｃ２，Ｃ３はコンデンサである。
【０００６】
次に、前記ＦＭ変調回路の動作を説明する。
【０００７】
ＶＣＯ２の発振周波数ｆｏはインダクタ１とバリキャップ対Ｄ１，Ｄ２とＤ３，Ｄ４の容量によって決まり、カウンタ３の出力周波数ｆ３は次式（数１）で表される。
（数１）
ｆ３＝ｆｏ／Ｍ
一方、カウンタ４の出力周波数ｆ４は、入力基準周波数ｆｃｋによって、次式（数２）で表される。
（数２）
ｆ４＝ｆｃｋ／Ｎ
位相比較器５においてｆ３＞ｆ４の場合には、出力電圧を低くなるように設定すると、バリキャップ対Ｄ１，Ｄ２の容量が大きくなるため、発振周波数ｆｏは低くなり、ｆ３がｆ４に等しくなろうとする。逆に、ｆ３＜ｆ４の場合には、位相比較器５の出力電圧が高くなり、ｆｏは高くなるため、ｆ３がｆ４に等しくなろうとする。
【０００８】
このようにして、この系はｆ３＝ｆ４となるようにフィードバックがかかっており、ＶＣＯ２の発振周波数ｆｏは次式（数３）で表される。
（数３）
ｆｏ＝（ｆｃｋ／Ｎ）・Ｍ
ここで、バリキャップ対Ｄ３，Ｄ４に被変調信号を入力すると、バリキャップ対Ｄ３，Ｄ４の容量値が信号によって変化するため、端子１０から中心周波数をｆｏとするＦＭ変調波を生成させることができる。
【特許文献１】特開２００２−１６４４２号公報
【発明の開示】
【発明が解決しようとする課題】
【０００９】
しかしながら、前記従来のＦＭ変調回路においては、周波数を安定にする信号用と被変調信号を入力させるための２対のバリキャップＤ１，Ｄ２とＤ３，Ｄ４、およびそれに対応する２つのＩＣ端子８，９が必要になるという課題があった。
【００１０】
本発明は、前記従来の課題を解決するものであって、バリキャップ対を１つにするとともに、対応するＩＣ端子を減らし、チップ面積の削減および使用パッケージの小端子化を達成することができるＦＭ変調回路を提供することを目的とする。
【課題を解決するための手段】
【００１１】
前記目的を達成するため、本発明のＦＭ変調回路は、バリキャップ対とインダクタを備えた電圧制御発振器の出力を入力とする第１のカウンタと、基準周波数を入力とする第２のカウンタを備え、前記第１のカウンタと前記第２のカウンタの出力位相を比較する位相比較器出力をローパスフィルタで平滑化し、前記ローパスフィルタの出力を前記バリキャップ対に入力して、安定した周波数を出力させるＦＭ変調回路であって、前記ローパスフィルタに被変調信号を入力させて出力に変調を施す構成にしている。
【００１２】
この構成により、ローパスフィルタに被変調信号を入力させて出力に変調を施すことにより、１つのバリキャップ対と、それに対応する１つのＩＣ端子とにより、ＦＭ変調波を生成することができる。
【発明の効果】
【００１３】
本発明によれば、従来に比べて、バリキャップ対を１つにするとともに、ＩＣ端子も１つ減らすことができ、チップ面積の削減、あるいは使用パッケージの小端子化を達成することができるという効果が得られる。
【発明を実施するための最良の形態】
【００１４】
以下、本発明の実施形態について図面を参照しながら説明する。なお、図３，図４にて説明した部材に対応する部材には同一符号を付して詳しい説明は省略する。
【００１５】
図１は本発明の実施形態を説明するためのＦＭ変調回路の回路図であり、Ｄ１とＤ２は入力電圧によって容量値が変化するバリキャップ対、１はインダクタ、２は能動素子を用いたＶＣＯ回路、３，４はそれぞれ入力周波数を１／Ｍ，１／Ｎにするカウンタ回路、５はカウンタ３，４の出力周波数の位相を比較する位相比較器、６は位相比較器の出力電圧を平滑化するためのＬＰＦ、７はＩＣ、８，１０，１１はＩＣ７の端子である。
【００１６】
図２は前記ＶＣＯ２と前記ＬＰＦ６の具体的構成を示す回路図であり、Ｑ１，Ｑ２，Ｑ３はＮＰＮトランジスタ、Ｉ１，Ｉ２，Ｉ３は定電流原、Ｒ１，Ｒ２，Ｒ３，Ｒ４は抵抗、Ｃ１，Ｃ２，Ｃ３，Ｃ４はコンデンサである。
【００１７】
次に、本実施形態の回路の動作を説明する。
【００１８】
ＶＣＯ２の発振周波数ｆｏは、インダクタ１と１対のバリキャップ対Ｄ１，Ｄ２の容量によって決まる以外は、既に説明した図４の従来回路と同等に中心周波数が（数３）の式で決まる周波数になるように動作する。
【００１９】
しかし、本実施形態では前記従来回路と異なり、被変調信号をＬＰＦ６に入力させることにより、端子８からバリキャップ対Ｄ１，Ｄ２の入力電圧を中心周波数ｆｏになる電圧近辺が変化するように、端子１０からＦＭ変調波を生成させることができる。
【産業上の利用可能性】
【００２０】
本発明は、半導体集積回路に適用され、特にチップ面積の削減、あるいは使用パッケージの小端子化を図る半導体集積回路に用いて有効である。
【図面の簡単な説明】
【００２１】
【図１】本発明の実施形態を説明するためのＦＭ変調回路の回路図
【図２】本実施形態におけるＶＣＯとＬＰＦの具体的構成を示す回路図
【図３】従来のＦＭ変調回路の概略構成を示すブロック図
【図４】従来のＦＭ変調回路におけるＶＣＯとＬＰＦの具体的構成を示す回路図
【符号の説明】
【００２２】
１  インダクタ
２  電圧制御発振（ＶＣＯ）回路
３，４  カウンタ回路
５  位相比較器
６  ローパスフィルタ（ＬＰＦ）
７  ＩＣ
８，１０，１１  ＩＣの端子
Ｄ１，Ｄ２  バリキャップ対
Ｑ１，Ｑ２，Ｑ３  ＮＰＮトランジスタ
Ｉ１，Ｉ２，Ｉ３  定電流原
Ｒ１，Ｒ２，Ｒ３，Ｒ４  抵抗
Ｃ１，Ｃ２，Ｃ３，Ｃ４  コンデンサ
【図１】
2005117403.tif 000003
【図２】
2005117403.tif 000004
【図３】
2005117403.tif 000005
【図４】
2005117403.tif 000006